(57)【要約】【課題】清掃性を向上させることができる浴室用カウンタを提供することを目的とする。【解決手段】浴室の壁面に取り付けられる浴室用カウンタであって、天板と、浴室の壁面に取り付けられ、前記天板を支持する支持材と、を備え、前記支持材は、前記天板の全ての側端面が浴室の壁面および浴槽から水平方向に離間するように、前記支持材の先端で前記天板の下面を支持するよう構成され、かつ、前記天板よりも後方にある支持材の横幅は、前記天板の横幅よりも小さくなるよう構成されており、さらに、前記天板の下方に存在する前記支持材の横幅は、前記天板よりも後方にある支持材の横幅よりも大きいことを特徴とする浴室用カウンタ。【選択図】  図４
2016189976.tif 000002
【特許請求の範囲】
【請求項１】
（最上位概念）
浴室の壁面に取り付けられる浴室用カウンタであって、
天板と、
浴室の壁面に取り付けられ、前記天板を支持する支持材と、を備え、
前記支持材は、前記天板の全ての側端面が浴室の壁面および浴槽から水平方向に離間するように、前記支持材の先端で前記天板の下面を支持するよう構成され、かつ、前記天板よりも後方にある支持材の横幅は、前記天板の横幅よりも小さくなるよう構成されており、
さらに、前記天板の下方に存在する前記支持材の横幅は、前記天板よりも後方にある支持材の横幅よりも大きいことを特徴とする浴室用カウンタ。
【請求項２】
前方から見て、前記天板よりも後方にある前記支持材の両端よりも外方の前記支持材の下端は、前記天板よりも後方にある前記支持材の下端よりも上方に設けられることを特徴とする請求項１記載の浴室用カウンタ。
【請求項３】
前記支持材は、
浴室の壁面に取り付けられると共に、前記天板の後端よりも前方まで延びる、横幅が前記天板の横幅よりも小さい支持材本体と、
前記支持材本体とは別体に設けられ、前記支持材本体の横幅よりも大きな横幅を有する支持幅拡張部材と、を有し、
前記支持幅拡張部材は前記天板の下方に配置されるよう前記支持材本体に固定されるよう構成されていることを特徴とする請求項２記載の浴室用カウンタ。
【請求項４】
前記支持材本体の上面には、前記支持幅拡張部材を載置可能な載置部を有しており、
前記支持幅拡張部材は、前記載置部に載置された状態で前記支持材本体に固定されることを特徴とする請求項３記載の浴室用カウンタ。
【請求項５】
前記支持幅拡張部材は前記支持材本体に所定の固定部材によって固定されるよう構成され、
前記支持材は、前記支持幅拡張部材が、前記支持材本体の前記載置部に載置可能、かつ、前記所定の固定部材によって前記支持材本体に固定可能な所定の位置に載置されるよう誘導する誘導手段を有することを特徴とする請求項４記載の浴室用カウンタ。
【請求項６】
前記支持材は、前記所定の位置に載置された前記支持幅拡張部材が、前記所定の位置から左右へ移動することを抑制する移動抑制手段を有することを特徴とする請求項５記載の浴室用カウンタ。
【請求項７】
前記誘導手段は、
前記支持材本体および前記支持幅拡張部材のいずれか一方に設けられた凸状の係合部と、
前記支持材本体および前記支持幅拡張部材のいずれか他方に設けられ、前記係合部と係合可能な被係合部と、を有し、
前記係合部と前記被係合部とを係合させることよって、前記所定の位置に載置できるよう構成されており、
さらに、係合した前記係合部と前記被係合部とによって、前記支持幅拡張部材の左右への移動を抑制することを特徴とする請求項６記載の浴室用カウンタ。
【発明の詳細な説明】
【技術分野】
【０００１】
本発明の態様は、一般的に、浴室の壁に取り付けられる浴室用カウンタに関する。
【背景技術】
【０００２】
家庭の浴室において身体を洗う作業を楽にするために、浴室用カウンタが浴室の壁に取り付けられている。使用者は、浴室用カウンタを利用することにより洗面器を洗い場よりも上方に置くことができる。
【０００３】
ここで、トップ部材、ボディ部材、及びブラケットの３つの部材で構成されたカウンターがある（特許文献１）。特許文献１に記載されたカウンターでは、ブラケットは、壁面へ固定され、トップ部材を支持している。トップ部材は、トップ面よりも一段低く形成された溝形成部を後方側に有しており、溝形成部の上面が排水溝の底面となる（特許文献１、図５参照）。
【０００４】
しかし、特許文献１に記載されたカウンターでは、トップ部材と壁面とが成す角部において入隅が形成されてしまう。特許文献１のカウンターでは、排水溝の前後方向の幅が比較的狭いため、入隅を掃除することは困難であり、入隅にこびりついた水垢や石鹸カスを落とすことは容易ではない。したがって、入隅の掃除には手間がかかる。
【０００５】
これに対して、カウンタが浴槽および壁面から離れて設けられたカウンタ付き浴室がある（特許文献２）。特許文献２に記載されたカウンタ付き浴室では、支柱がカウンタを長手方向に貫通しカウンタを支持している。しかし、特許文献２に記載されたカウンタ付き浴室であっても、支柱がカウンタを貫通しているため、カウンタの側端面と支柱とが成す角部において入隅が形成される。そのため、入隅にこびりついた水垢や石鹸カスを落とすことは容易ではなく、入隅の掃除に手間がかかるという点においては、改善の余地がある。
【先行技術文献】
【特許文献】
【０００６】
【特許文献１】特開２０１１−６７３４０号公報
【特許文献２】特開２０１３−１７９９８７号公報
【発明の概要】
【発明が解決しようとする課題】
【０００７】
本発明は、かかる課題の認識に基づいてなされたものであり、清掃性を向上させることができる浴室用カウンタを提供することを目的とする。
【課題を解決するための手段】
【０００８】
第１の発明は、浴室の壁面に取り付けられる浴室用カウンタであって、天板と、浴室の壁面に取り付けられ、前記天板を支持する支持材と、を備え、前記支持材は、前記天板の全ての側端面が浴室の壁面および浴槽から水平方向に離間するように、前記支持材の先端で前記天板の下面を支持するよう構成され、かつ、前記天板よりも後方にある支持材の横幅は、前記天板の横幅よりも小さくなるよう構成されており、さらに、前記天板の下方に存在する前記支持材の横幅は、前記天板よりも後方にある支持材の横幅よりも大きいことを特徴とする。
【０００９】
この浴室用カウンタによれば、天板の全ての側端面が浴槽および壁面から水平方向に離間しているため、天板と浴槽との間および天板と壁面との間において入隅が形成されることを抑えることができる。
これにより、水が入隅に溜まることを抑え、水垢や石鹸カスなどによる汚れが入隅に発生することを抑えることができる。また、入隅が形成されることを抑えることができるため、例えばシリコーンなどのシール材を入隅に塗布する必要がなく、浴室用カウンタの見栄えはより良好である。
また、天板の全ての側端面が浴槽および壁面から水平方向に離間しているため、例えば清掃者は、汚れが付着した天板の側端面を端から端まで洗剤およびスポンジなどの清掃用具でより簡単に擦り洗いすることができる。
また、天板よりも後方にある支持材の横幅は、天板の横幅よりも小さくなるよう構成されているため、天板から流下する排水により汚れやすい支持材上面の清掃の手間を軽減させられる。ここで、天板よりも後方にある、清掃の手間を低減できる支持材の横幅で天板を支持しようとすると、横幅方向において、支持されていない天板の端部が撓みやすくなる。特に、そのような天板の端部に重いものが載置された場合には、撓みが生じやすい。しかし、本発明では、天板の下方に存在する支持材の横幅は、天板よりも後方にある支持材の横幅よりも大きいため、支持材による横幅方向における天板の支持幅をより大きく設けることができ、天板に極めて高い剛性を持たせなくとも、横方向における支持材によって支持されていない天板の端部の撓みを抑制することができる。
【００１０】
また、本発明では、前方から見て、前記天板よりも後方にある前記支持材の両端よりも外方の前記支持材の下端は、前記天板よりも後方にある前記支持材の下端よりも上方に設けられることが好ましい。
【００１１】
これよれば、前方から見て、天板よりも後方にある支持材の両端よりも外方の支持材の下端は、天板よりも後方にある支持材の下端よりも上方に設けられているため、支持材の両端よりも外方の天板下にある支持材を洗い場からより上方に離間させることができる。これにより、支持材による天板の支持幅を大きく設ける場合であっても、支持材が洗い場からの跳ね返り水によって被水することを抑制でき、天板下にある支持材の清掃の手間を軽減することができる。
【００１２】
また、本発明では、前記支持材は、浴室の壁面に取り付けられると共に、前記天板の後端よりも前方まで延びる、横幅が前記天板の横幅よりも小さい支持材本体と、前記支持材本体とは別体に設けられ、前記支持材本体の横幅よりも大きな横幅を有する支持幅拡張部材と、を有し、前記支持幅拡張部材は前記天板の下方に配置されるよう前記支持材本体に固定されるよう構成されていることが好ましい。
【００１３】
これよれば、支持材は、支持材本体と、支持幅拡張部材とに別れて設けられているため、浴室のように比較的狭い空間の中で施工を行う場合であっても、支持材本体と支持幅拡張部材を一体に設けた場合に比べて施工性を向上させることができる。
【００１４】
また、本発明では、前記支持材本体の上面には、前記支持幅拡張部材を載置可能な載置部を有しており、前記支持幅拡張部材は、前記載置部に載置された状態で前記支持材本体に固定されることが好ましい。
【００１５】
これよれば、支持材本体より横幅の大きな支持幅拡張部材を載置部に載置した状態で支持材本体に固定できるため、支持幅拡張部材を支持材本体に固定する際に、支持幅拡張部材が床に落下してしまうことを抑制でき、施工性および安全性を向上させることができる。
【００１６】
また、本発明では、前記支持幅拡張部材は前記支持材本体に所定の固定部材によって固定されるよう構成され、前記支持材は、前記支持幅拡張部材が、前記支持材本体の前記載置部に載置可能、かつ、前記所定の固定部材によって前記支持材本体に固定可能な所定の位置に載置されるよう誘導する誘導手段を有することが好ましい。
【００１７】
これよれば、施工時に、作業者を誘導手段によって、支持幅拡張部材を所定の固定部材によって支持材本体に固定可能な所定の位置に載置するよう誘導できるため、支持幅拡張部材の載置後に、支持幅拡張部材の大きな位置調整を行うことなく、支持幅拡張部材を支持材本体に固定することができる。したがって、より施工性を向上させられると共に、安全性を向上させることができる。
【００１８】
また、本発明では、前記支持材は、前記所定の位置に載置された前記支持幅拡張部材が、前記所定の位置から左右へ移動することを抑制する移動抑制手段を有することが好ましい。
【００１９】
これよれば、施工時、所定の位置に載置された支持幅拡張部材に作業者が不意に当たってしまったとしても、支持幅拡張部材が左右へ移動することを抑制できる。したがって、載置した支持幅拡張部材の位置の大がかりな再調整や、支持幅拡張部材の支持材本体からの落下を抑制できる。これにより、より施工性を向上させられると共に、安全性を向上させることができる。
【００２０】
また、本発明では、前記誘導手段は、前記支持材本体および前記支持幅拡張部材のいずれか一方に設けられた凸状の係合部と、前記支持材本体および前記支持幅拡張部材のいずれか他方に設けられ、前記係合部と係合可能な被係合部と、を有し、前記係合部と前記被係合部とを係合させることよって、前記所定の位置に載置できるよう構成されており、さらに、係合した前記係合部と前記被係合部とによって、前記支持幅拡張部材の左右への移動を抑制することが好ましい。
【００２１】
これよれば、支持材本体および支持幅拡張部材のいずれか一方に設けられた凸状の係合部と、いずれか他方に設けられた被係合部とを係合させることによって、支持幅拡張部材を所定の位置へ誘導するとともに、係合させた係合部と被係合部とによって支持幅拡張部材の左右への移動も抑制されるため、簡単な構造で、支持幅拡張部材を載置する際の位置の誘導および載置後の支持幅拡張部材の左右への移動の抑制を実現できる。
【発明の効果】
【００２２】
本発明の浴室用カウンタによれば、清掃性を向上させることができる。
【図面の簡単な説明】
【００２３】
【図１】第１実施形態にかかる浴室用カウンタが設置された浴室を表す模式的斜視図。
【図２】第１実施形態にかかる浴室用カウンタを表す模式的平面図。
【図３】第１実施形態にかかる浴室用カウンタを表す模式的平面図。
【図４】第１実施形態にかかる浴室用カウンタを表す模式的平面図。
【図５】第１実施形態にかかる浴室用カウンタを表す模式的平面図。
【図６】第１実施形態にかかる支持材本体および支持幅拡張部材の模式的平面図。
【図７】第１実施形態にかかる支持材本体に支持幅拡張部材を載置する際の様子を表す模式図。
【図８】第１実施形態の天板の側端面に付着した汚れを表す模式的平面図。
【図９】天板の手入れ方法の一例を例示する模式的平面図。
【図１０】第２実施形態にかかる浴室用カウンタの分解斜視図。
【図１１】第２実施形態にかかる浴室用カウンタの側断面図。
【図１２】第２実施形態にかかる支持幅拡張部材の上面図。
【図１３】第２実施形態にかかる支持幅拡張部材が支持材本体に載置された状態の上面図。
【図１４】第２実施形態の変形例にかかる浴室用カウンタの分解斜視図。
【図１５】第２実施形態の変形例にかかる浴室用カウンタの分解斜視図。
【図１６】第２実施形態の変形例にかかる浴室用カウンタの分解斜視図。
【図１７】第２実施形態の変形例にかかる浴室用カウンタの分解斜視図。
【図１８】第１実施形態の変形例にかかる浴室用カウンタの正面図。
【図１９】第１実施形態の変形例にかかる浴室用カウンタの側面図。
【図２０】第１実施形態の変形例にかかる浴室用カウンタの側面図。
【図２１】第１実施形態の変形例にかかる浴室用カウンタの側面図。
【図２２】第１実施形態の変形例にかかる浴室用カウンタの正面図。
【図２３】第１実施形態の変形例にかかる浴室用カウンタの上面図。
【発明を実施するための形態】
【００２４】
以下、本発明の実施の形態について図面を参照しつつ説明する。なお、各図面中、同様の構成要素には同一の符号を付して詳細な説明は適宜省略する。  
図１は、第１実施形態にかかる浴室用カウンタ３００が設置された浴室を表す模式的斜視図である。  
図２は、第１実施形態にかかる浴室用カウンタを表す模式的平面図である。  
図２は、図１に表した矢印Ａ１の方向にみたときの浴室用カウンタを表す模式的平面図である。
【００２５】
図１および図２に表したように、第１実施形態にかかる浴室用カウンタ３００は、天板３１０と、支持材３２０と、を備え、浴室１０の洗い場１００の第１の壁面１１０に取り付けられている。第１の壁面１１０は、浴槽２００と、浴槽２００と対向する第２の壁面１２０と、の間に設けられ、浴槽２００および第２の壁面１２０と接続されている。
【００２６】
第１の壁面１１０には、水栓４００および鏡５００が取り付けられている。水栓４００は、例えば天板３１０の上に載置された洗面器に水を供給する。本願明細書において、「水」には、冷水のみならず、加温されたお湯が含まれる。
【００２７】
支持材３２０は、第１の壁面１１０に取り付けられている。より具体的には、支持材３２０の一端は、第１の壁面１１０に固定されている。これにより、支持材３２０と第１の壁面１１０との間に入隅３９１が形成されている。
【００２８】
本願明細書において「入隅」とは、複数の面が互いに接続された箇所の内側の部分をいうものとする。あるいは、本願明細書において「入隅」とは、複数の面が互いに接続された箇所の凹んだ部分をいうものとする。
【００２９】
支持材３２０の他端は、天板３１０の下面３１７を支持している。
【００３０】
支持材３２０は、上面３２１と、下面３２２と、を有する。上面３２１および下面３２２は、天板３１０の下面３１７から第１の壁面１１０に向けて下方に傾斜している。
【００３１】
本願明細書において、「下方」とは、浴室用カウンタ３００が第１の壁面１１０に取り付けられた状態において、鉛直方向であって天板３１０からみて支持材３２０の側の方向をいう。本願明細書において、「上方」とは、「下方」とは反対の方向をいう。本願明細書において、「前方」とは、浴室用カウンタ３００が第１の壁面１１０に取り付けられた状態において、第１の壁面１１０に垂直な方向であって第１の壁面１１０からみて浴室カウンタ３００の側の方向をいう。本願明細書において、「後方」とは、「前方」とは反対の方向をいう。
【００３２】
支持材３２０の上面３２１は、第１の面３２１ａと、第２の面３２１ｂと、中央曲面３２１ｃと、を有している。第２の面３２１ｂは、第１の面３２１ａと第１の壁面１１０との間に設けられている。中央曲面３２１ｃは、第１の面３２１ａと第２の面３２１ｂとの間に設けられている。中央曲面３２１ｃは、凹状に湾曲している。
【００３３】
第１実施形態において、支持材３２０の上面３２１および支持材３２０の下面３２２は、前述したように、天板３１０の下面３１７から第１の壁面１１０に向けて下方に傾斜している。これにより、支持材３２０の上面３２１において、第１の壁面１１０に当接する位置は、天板３１０の下面３１７よりも低い。そのため、天板３１０を使用する使用者の目線では、入隅３９１は、天板３１０の死角に入る。  
したがって、入隅３９１に、水や汚れが溜まったとしても、使用者は、入隅３９１を視認することができない。そのため、入隅の汚れを使用者にさらすことが抑制される。これにより、浴室１０の美観を良くすることができる。
【００３４】
また、前述したように、支持材３２０の上面３２１および支持材３２０の下面３２２が、天板３１０の下面３１７から、第１の壁面１１０に向けて下方に傾斜している。これにより、使用者の目線から支持材３２０自体を視認できない。天板３１０が浮いているように使用者に認識させることができる。これにより、浴室１０の美観を向上させることができる。
【００３５】
図３は、第１実施形態にかかる浴室用カウンタを表す模式的平面図である。  
図４は、第１実施形態にかかる浴室用カウンタを表す模式的平面図である。  
図５は、第１実施形態にかかる浴室用カウンタを表す模式的平面図である。  
図３は、図１に表した矢印Ａ２の方向にみたときの浴室用カウンタを表す模式的平面図である。図４は、図１に表した矢印Ａ３の方向にみたときの浴室用カウンタを表す模式的平面図である。図５は、図１に表した矢印Ａ４の方向にみたときの浴室用カウンタを表す模式的平面図である。
【００３６】
天板３１０は、第１の側端面３１１と、第２の側端面３１２と、第３の側端面３１３と、第４の側端面３１４と、上面３１６と、下面３１７と、を有し、支持材３２０により支持されている。図３および図４に表したように、第１の側端面３１１は、第１の壁面１１０と対向し、第１の壁面１１０から水平方向に離間している。第２の側端面３１２は、浴槽２００の側面２１０と対向し、浴槽２００から水平方向に離間している。第３の側端面３１３は、第２の壁面１２０と対向し、第２の壁面１２０から水平方向に離間している。第４の側端面３１４は、洗い場１００と面し、浴槽２００、第１の壁面１１０、および第２の壁面１２０から水平方向に離間している。つまり、天板３１０の全ての側端面（第１の側端面３１１、第２の側端面３１２、第３の側端面３１３、および第４の側端面３１４）は、浴槽２００、第１の壁面１１０、および第２の壁面１２０から水平方向に離間している。
【００３７】
第１の側端面３１１と第１の壁面１１０との間には、隙間Ｓ１が存在する。第１の側端面３１１と、第１の壁面１１０と、の間の距離Ｄ１は、例えば約５０ミリメートル（ｍｍ）程度である。第２の側端面３１２と浴槽２００の側面２１０との間には、隙間Ｓ２が存在する。第２の側端面３１２と、浴槽２００の側面２１０と、の間の距離Ｄ２は、例えば約７０ｍｍ程度である。第３の側端面３１３と第２の壁面１２０との間には、隙間Ｓ３が存在する。第３の側端面３１３と、第２の壁面１２０と、の間の距離Ｄ３は、例えば約７０ｍｍ程度である。
【００３８】
第１の側端面３１１、第２の側端面３１２、および第３の側端面３１３の拭き掃除をするために、距離Ｄ１〜距離Ｄ３は、より適切な距離に適宜設定されている。具体的には、距離Ｄ１〜距離Ｄ３のそれぞれは、スポンジ等の清掃用具を挿入しやすくするため、例えば約３０ｍｍ以上であることがより好ましい。また、手の甲が拭き掃除の際に第１の壁面１１０、第２の壁面１２０、および浴槽２００に当たらないようにするためには、距離Ｄ１〜距離Ｄ３のそれぞれは、例えば約５０ｍｍ以上であることがより好ましい。天板３１０が洗い場１００に比較的大きく張り出すことを抑えるため、距離Ｄ１は、３０ｍｍ以上、５０ｍｍ以下であることがより好ましい。
【００３９】
天板３１０の上面３１６は、略平坦である。例えば、使用者は、洗面器やシャンプーのボトル等を天板３１０の上面３１６に載せることができる。天板３１０の上面３１６には、排水のための傾斜が設けられていてもよい。この場合、経年によって傾斜方向が変わらないよう、天板３１０の上面３１６の前方側に下降傾斜させておくことが好ましい。
【００４０】
図３および図４に表したように、支持材３２０のうちで天板３１０と第１の壁面１１０との間に存在する部分の横方向の長さ（横幅）Ｄ５は、天板３１０の横方向の長さ（横幅）Ｄ４よりも短い。  
これにより、水がかかりやすい支持材３２０の上面３２１の面積を小さく抑えることで、支持材３２０の上面３２１に水が溜まる面積を小さく抑えることができる。これにより、支持材３２０において水垢や石鹸カスなどによる汚れが発生する面積を抑えることができるため、支持材３２０を清掃する手間を低減することができる。
【００４１】
本願明細書において「横方向」とは、水平方向であって壁面１１０に平行な方向をいう。
【００４２】
図５に表したように、天板３１０は、例えば、ボルト４５１で支持材３２０に取り付けられる。支持材３２０は、例えば、ボルト４５２で第１の壁面１１０に取り付けられる。
【００４３】
ここから、図２〜図７を参照しながら、支持材３２０について詳しく説明する。図４に示すように、支持材３２０は、天板３１０の横幅Ｄ４よりも小さい横幅Ｄ５を有する支持材本体３２０ａと、支持材本体３２０ａよりも大きい横幅Ｄ７を有する支持幅拡張部材３２０ｂを有する。支持材本体３２０ａおよび支持幅拡張部材３２０ｂは別体に形成されている。また、支持幅拡張部材３２０ｂは、板状に形成され、上面視で横長な長方形状に形成されている。
【００４４】
支持幅拡張部材３２０ｂは、支持材本体３２０ａにボルト４５３（固定部材）で下方から固定され、また、天板３１０は、支持幅拡張部材３２０ｂに下方からボルト４５１で固定される。支持材本体３２０ａは、天板３１０の左右方向（横幅方向）における略中央に配置され、支持幅拡張部材３２０ｂは、左右方向（横幅方向）におけるその中央部が、支持材本体３２０ａの上面に載置された状態で固定されるよう構成されている。
【００４５】
ここから、図６（Ａ）は支持幅拡張部材３２０ｂの模式的下面図であり、図６（Ｂ）は支持材本体３２０ａの模式的上面図である。支持材本体３２０ａの上面３２０ａｆ（載置部）は平面状に形成されており、この上面３２０ａｆには、支持材本体の中心線Ｗに対して、左右対称の位置に２つの突起３２０ａｘ（係合部）が設けられている。一方、支持幅拡張部材３２０ｂの下面には、中心線Ｖに対して左右対称に、２つの突起３２０ａｘと係合する２つの凹部３２０ｂｘ（被係合部）が設けられている。また、支持材本体３２０ａの上面３２０ａｆおよび支持幅拡張部材３２０ｂの下面にはそれぞれ、支持材本体３２０ａおよび支持幅拡張部材３２０ｂを固定するためのボルト４５３を挿入するための孔３２０ａｎおよび３２０ｂｎが設けられている。
【００４６】
図７に示すように、浴室用カウンタ３００を施工する際、まず、作業者は、壁面１１０に固定された支持材本体３２０ａの上面３２０ａｆに、支持幅拡張部材３２０ｂを載置する。この際、突起３２０ａｘと凹部３２０ｂｘとを係合するようにして、支持幅拡張部材３２０ｂを支持材本体３２０ａの上面に載置する。これにより、突起３２０ａｘと凹部３２０ｂｘとを係合するようにして載置した支持幅拡張部材３２０ｂの位置（所定の位置）は、支持幅拡張部材３２０ｂの中央部が支持材本体３２０ａの上面３２０ａｆによって支持される位置であるため、横幅が大きな支持幅拡張部材３２０ｂを横幅が小さな支持材本体３２０ａの上に載置する場合であっても、支持幅拡張部材３２０ｂは、左右の重量バランスが釣り合った状態で自律して載置される。したがって、左右の重量バランスが取れずに支持幅拡張部材３２０ｂが回転して支持材本体３２０ａから落下することを抑制できる。
【００４７】
また、突起３２０ａｘと凹部３２０ｂｘを係合させて支持材本体３２０ａに支持幅拡張部材３２０ｂを載置した状態においては、支持材本体３２０ａに支持幅拡張部材３２０ｂをボルト４５３によって固定する前に、万が一作業者の体の一部などが不意に支持幅拡張部材３２０ｂに当たってしまったとしても、突起３２０ａｘと凹部３２０ｂｘが係合しているため、支持幅拡張部材３２０ｂが前後左右に移動してしまうことを防止できる。これにより、支持幅拡張部材３２０ｂの位置を再度調整する手間や、支持幅拡張部材３２０ｂが支持材本体３２０ａから落下してしまうことを抑制できるため、施工性や安全性を向上させることができる。
【００４８】
また、突起３２０ａｘと凹部３２０ｂｘを係合させて支持幅拡張部材３２０ｂを支持材本体３２０ａ上面に載置した状態においては、支持材本体３２０ａのボルト挿入用の孔３２０ａｎと支持幅拡張部材３２０ｂｎのボルト挿入用の孔３２０ｂｈの位置が一致する。このため、支持幅拡張部材３２０ｂを支持材本体３２０ａ上に載置した状態で、ボルト４５３を、支持材本体３２０ａの孔３２０ａｎおよび支持幅拡張部材３２０ｂｎの孔３２０ｂｈに挿入することにより、支持材本体３２０ａに支持幅拡張部材３２０ｂを固定することができる。
【００４９】
また、支持材本体３２０ａおよび支持幅拡張部材３２０ｂにそれぞれ、２つの突起３２０ａｘおよび２つの凹部３２０ｂｘを設けているため、作業者に、これら２つの突起３２０ａｘと２つの凹部３２０ｂｘの両者を係合するようにして、支持幅拡張部材３２０ｂを支持材本体３２０ａの上面３２０ａｆに載置するよう誘導することができる。このため、
これら２つの突起３２０ａｘと２つの凹部３２０ｂｘは、作業者に、支持幅拡張部材３２０ｂが左右の重量バランスが釣り合った状態で自律して載置可能かつ、支持材本体３２０ａに固定可能な所定の位置に載置されるよう誘導する役割も果たしている。
【００５０】
なお、図４に示すように、支持材本体３２０ａの左右両端よりも外方にある支持幅拡張部材３２０ｂの下端３２０ｂｕは、支持材本体３２０ａの下端３２０ａｕよりも上方に位置する。
【００５１】
図８は、第１実施形態の天板の側端面に付着した汚れを表す模式的平面図である。  
図８は、図１に表した矢印Ａ２の方向にみたときの浴室用カウンタを表す模式的平面図である。
【００５２】
天板３１０の上面３１６には、例えば洗面器が載置される。そのため、界面活性剤を含んだ水が天板３１０の上面３１６に流れることがある。天板３１０の上面３１６に流れた水は、天板３１０の略全体の周囲から側面を伝って洗い場１００へ落下する。そのため、図８に表したように、水垢あるいは石鹸カスなどの汚れＤは、天板３１０の側端面に残留しやすい。例えば、汚れＤは、側端面の下端に残留しやすい。
【００５３】
図８は、汚れＤが第３の側端面３１３と第４の側端面３１４との間に残留した例を表している。汚れＤが残留する箇所は、第３の側端面３１３と第４の側端面３１４との間には限定されない。汚れＤは、第１の側端面３１１と、第２の側端面３１２と、第３の側端面３１３と、第４の側端面３１４と、の少なくともいずれかに残留することがある。
【００５４】
次に、天板３１０の手入れ方法について、図面を参照しつつ説明する。  
図９は、天板の手入れ方法の一例を例示する模式的平面図である。
【００５５】
例えば清掃者は、洗剤等を含ませた清掃用具Ｃで天板３１０の側端面を擦り洗いすることによって、天板３１０の側端面の下端に付着した汚れＤを落とすことができる。このとき、第１の側端面３１１と第１の壁面１１０との間の距離Ｄ１、第２の側端面３１２と浴槽２００の側面２１０との間の距離Ｄ２、および第３の側端面３１３と第２の壁面１２０との間の距離Ｄ３のそれぞれは、３０ｍｍ以上である。そのため、図９に表したように、例えば清掃者は、清掃用具Ｃを掴んだ手指Ｆを隙間Ｓ１、Ｓ２、Ｓ３に容易に差し込むことができる。
【００５６】
これにより、例えば清掃者は、天板３１０の全ての側端面を力を入れて擦り洗いすることができる。また、天板３１０の側端面に付着した汚れは、入隅に付着した汚れよりも容易に擦り落とすことができる。したがって、天板３１０の側端面の下端などに付着した水垢や石鹸カスなどの汚れＤをより簡単に落とすことができる。これにより、天板３１０の側端面にカビが発生することを抑制することができる。
【００５７】
続いて、本発明の第２実施形態にかかる浴室用カウンタ６００について、図面を参照しつつ説明する。  
図１０は、第２実施形態にかかる浴室用カウンタの分解斜視図である。  
図１１は、第２実施形態にかかる浴室用カウンタの組付け後の側断面図である。  
図１２は、第２実施形態にかかる支持幅拡張部材の上面図である。  
図１３は、第２実施形態にかかる支持幅拡張部材が支持材本体に載置された状態の上面図である。  
【００５８】
図１０および図１１に表したように、浴室用カウンタ６００は、天板６１０と、支持材６２０と、支持材上カバー６４０、および支持材下カバー６３０と、を備える。支持材６２０は支持材本体６２１および支持幅拡張部材６２２を有している。
【００５９】
支持材本体６２１は、横並びに配置した複数の樹脂製の縦板６２１ａの間を補強用のリブ６２１ｂで接続し、さらに縦板６２１ａの上端を上板６２１ｄで接続するよう、縦板６２１ａ、リブ６２１ｂ、および上板６２１ｄを一体に形成されたものである。支持材本体６２１の上板６２１ｄには、図示しないボルトを挿入するための孔６２１ｈが４つ設けられている。また、支持材本体６２１の上面６２１ｃには、２つの上方に延びる突起６２１ｘ（被係合部）が設けられている。なお、支持材６２１は壁面１１０に固定される。
【００６０】
一方、支持幅拡張部材６２２は、ステンレス製であり、断面が波状に形成された横長部材６２３と、横長部材６２３の左右端部に固定された、一対の縦長部材６２４からなる。横長部材６２３には、下方に大きく窪んだ形状をした凹部６２３ｂが２つ設けられており、前方側の凹部６２３ｂの底面６２３ａには、図１２に示すように、２つの突起６２１ｘが挿入される挿入孔６２３ｘ（被係合部）が設けられている。また、２つの凹部６２３ｂのそれぞれの底面には、左右に２つのボルト挿入用の孔６２３ｈが設けられている。
【００６１】
図１３で示すように、支持幅拡張部材６２２の２つの挿入孔６２３ｘが、支持材本体６２１の２つの突起６２１ｘに係合する（嵌まる）ようにして、支持幅拡張部材６２２を支持材本体６２１の上面６２１ｆに載置した場合、載置後の状態においては、支持幅拡張部材６２０の４つの孔６２３ｈおよび支持材本体６２１の４つの孔６２１ｈが上面視で重複するため、この載置状態において、図示しないボルトで支持材本体６２１および支持幅拡張部材６２２を固定することができる。
【００６２】
このようにして固定される支持材６２０は、支持材上カバー６４０および支持材下カバー６３０によって、支持材６２０の外周が覆われる。このため、支持材６２０自体が汚れることを防止でき、さらに、支持材上カバー６４０および支持材下カバー６３０によって、支持材６２０の外周に、凹凸の少ない平面や曲面を形成できるため、より清掃の手間を軽減することができる。
【００６３】
なお、支持材上カバー６４０は支持材本体６２１に固定され、支持材下カバー６３０は、支持幅拡張部材６２２に固定される。
【００６４】
続いて、第２実施形態における支持幅拡張部材６２２の変形例について説明していく。
【００６５】
図１４に示す支持幅拡張部材は、Ｕ字状の断面を有するステンレス製の支持幅拡張部材７２２である。
【００６６】
図１５に示す支持幅拡張部材は、四角形状のセルを有した押出し材のアルミニウム製の支持幅拡張部材８２２である。
【００６７】
図１６に示す支持幅拡張部材は、複雑なリブ形状を有するガラス繊維等で強化された樹脂製の支持幅拡張部材９２２である。
【００６８】
図１７に示す支持幅拡張部材は、角パイプを組み合わせた形状を有するステンレス製の支持幅拡張部材８２２である。
【００６９】
以上、本発明の実施形態について説明したが、本発明は上記実施形態には限られるものではない。
【００７０】
例えば、第１実施形態においては、別体として形成された支持材本体３２０ａおよび支持幅拡張部材３２０ｂを組付けることによって支持材本３２０を構成していたが、本発明はこれに限られるものではなく、例えば図１８のように、支持材３２０は、支持材本体３２０ａおよび支持幅拡張部材３２０ｂを一体に形成したものであっても良い。
【００７１】
また、第１実施形態においては、天板３１０の第１〜第４の側端面は平面状に形成されているが、図１９に示すように曲面を有するように形成しても構わない。また、図１９に示すように、天板３１０の第１〜第４の側端面と、天板３１０の上面３１６および下面３１７との間には、角部が存在しないよう形成しても構わない。このように構成することで、清掃性を向上させることができる。
【００７２】
また、第１実施形態においては、天板３１０を一つの部材から形成しているが、例えば、図２０のように、天板３１０自身に剛性を持たせるために、２つ以上の部材を積層させ、複数層の天板３１０（部材３２０ａと部材３２０ｂの積層体）としても良い。
【００７３】
また、第１実施形態においては、支持材本体３２０ａは一体の部材で形成されていたが、例えば図２１〜図２３に示すように、複数のブラケット７２０ａｂによって支持材本体７２０ａを形成し、この支持材７２０ａの上面に支持幅拡張部材７２０ｂを載置固定して支持材７２０を形成しても構わない。この場合、支持材本体７２０ａの「横幅」とは、最も左側に配置されたブラケット７２０ａｂの左端から最も右側に配置されたブラケット７２０ａｂの右端までの長さＤ９を指す。このように、複数のブラケット７２０ａｂによって支持材本体７２０ａを形成する場合であっても、支持材本体７２０ａの横幅を短くすることで、清掃範囲を狭くできるため、清掃の手間を軽減させることができる。
【符号の説明】
【００７４】
１０：浴室
１００：洗い場
１１０：第１の壁面
１２０：第２の壁面
２００：浴槽
２１０：側面
３００：浴室用カウンタ
３１０：天板
３１１：第１の側端面
３１２：第２の側端面
３１３：第３の側端面
３１４：第４の側端面
３１６：上面
３１７：下面
３２０：支持材
３２０ａ：支持材本体
３２０ｂ：支持幅拡張部材
３２０ａｆ：上面
３２０ａｘ：突起
３２０ｂｘ：凹部
【図１】
2016189976.tif 000003
【図２】
2016189976.tif 000004
【図３】
2016189976.tif 000005
【図４】
2016189976.tif 000006
【図５】
2016189976.tif 000007
【図６】
2016189976.tif 000008
【図７】
2016189976.tif 000009
【図８】
2016189976.tif 000010
【図９】
2016189976.tif 000011
【図１０】
2016189976.tif 000012
【図１１】
2016189976.tif 000013
【図１２】
2016189976.tif 000014
【図１３】
2016189976.tif 000015
【図１４】
2016189976.tif 000016
【図１５】
2016189976.tif 000017
【図１６】
2016189976.tif 000018
【図１７】
2016189976.tif 000019
【図１８】
2016189976.tif 000020
【図１９】
2016189976.tif 000021
【図２０】
2016189976.tif 000022
【図２１】
2016189976.tif 000023
【図２２】
2016189976.tif 000024
【図２３】
2016189976.tif 000025